(57)【要約】【課題】雰囲気のある暗所でも周囲に気兼ねなく表示手段に画像を表示でき、被写体画像の雰囲気が把握しやすい撮影装置及び表示方法を提供する。【解決手段】撮影により得られた被写体画像の画像信号に基づいて、被写体画像の輪郭画像を示す画像信号を生成し、撮影により得られた被写体画像の画像信号に基づいて、被写体画像の一部または縮小画像を表示手段の表示面の一部に表示すると共に、該生成した輪郭画像の画像信号に基づいて、被写体の輪郭画像を表示手段の表示面の残部に表示する。【選択図】図７
2011004431.tif 000002
【特許請求の範囲】
【請求項１】
被写体を撮影し、被写体画像を示す画像信号を出力する撮影手段と、
被写体画像を示す画像信号を記憶する記憶手段と、
画像の表示が可能な表示手段と、
前記撮影手段から出力された画像信号に基づいて被写体画像の輪郭画像を示す画像信号を生成する輪郭画像生成手段と、
前記表示手段の表示面の一部を通常表示領域として該通常表示領域に前記撮影手段から出力された画像信号または前記記憶手段に記憶された画像信号に基づいて被写体画像の一部または縮小画像を表示すると共に、該表示手段の表示面の前記通常表示領域以外の領域に前記輪郭画像生成手段で生成された画像信号に基づいて前記被写体の輪郭画像を表示する表示制御手段と、
を含む撮影装置。
【請求項２】
前記通常表示領域に被写体画像の一部または縮小画像を表示させる指示を入力するための指示入力手段を更に備え、
前記表示制御手段は、前記指示入力手段で前記指示が入力されないときには、前記表示手段の表示面の全面に前記輪郭画像を表示し、前記指示入力手段で前記指示が入力されたときには、前記通常表示領域に前記撮影手段から出力された画像信号または前記記憶手段に記憶された画像信号に基づいて被写体画像の一部または縮小画像を表示すると共に、前記通常表示領域以外の領域に前記輪郭画像を表示する請求項１記載の撮影装置。
【請求項３】
被写体を撮影し、被写体画像を示す画像信号を出力する撮影手段と、
被写体画像を示す画像信号を記憶する記憶手段と、
画像の表示が可能な表示手段と、
前記撮影手段から出力された画像信号または前記記憶手段に記憶された画像信号に基づいて、被写体画像の輪郭画像を示す画像信号を生成する輪郭画像生成手段と、
少なくとも前記輪郭画像生成手段で生成された画像信号に基づいて前記被写体画像の輪郭画像を前記表示手段の表示面に表示する第１表示制御手段と、
前記表示手段の表示面に前記被写体画像以外の絵、図形、及び文字のいずれかを示す画像を表示する場合に、該画像全体の平均明度が所定明度より低くなるような色で表示する第２表示制御手段と、
を含む撮影装置。
【請求項４】
被写体を撮影し、被写体画像を示す画像信号を出力する撮影手段と、
被写体画像を示す画像信号を記憶する記憶手段と、
画像の表示が可能な表示手段と、
前記撮影手段から出力された画像信号または前記記憶手段に記憶された画像信号に基づいて、被写体画像の輪郭画像を示す画像信号を生成する輪郭画像生成手段と、
撮影装置から発する光及び音を抑制するモードに切替える切替手段と、
前記切替手段で前記モードに切替えられたときに、少なくとも前記輪郭画像生成手段で生成された画像信号に基づいて前記被写体画像の輪郭画像を前記表示手段の表示面に表示する表示制御手段と、
前記切替手段で前記モードに切替えられたときに、撮影装置から発する音を抑制する音抑制制御手段と、
を含む撮影装置。
【請求項５】
被写体を撮影し、被写体画像を示す画像信号を出力する撮影手段と、
被写体画像を示す画像信号を記憶する記憶手段と、
画像の表示が可能な表示手段と、
前記記憶手段から前記被写体画像の輪郭部分の画像信号を間引いて読み出すか、または輝度情報を示す信号のみを抽出して読み出すか、前記被写体画像の輪郭部分の輝度情報を示す信号のみを抽出すると共に該抽出した輝度情報を示す信号を間引いて読み出し、該読み出した画像信号に基づいて前記被写体画像の輪郭画像を示す画像信号を生成する輪郭画像生成手段と、
少なくとも前記輪郭画像生成手段で生成された画像信号に基づいて前記被写体画像の輪郭画像を前記表示手段の表示面に表示する表示制御手段と、
を含む撮影装置。
【請求項６】
被写体を撮影する撮像手段を備えた本体と、
画像の表示が可能な表示手段と、
光透過領域と光透過抑制領域とを備えると共に前記本体に引き出し可能に収納され、前記本体から引き出された状態で前記表示手段の表示面を覆い、かつ前記本体に収納された状態で前記表示手段の表示面を露出させる減光部材と、
を含む撮影装置。
【請求項７】
被写体を撮影し、被写体画像を示す画像信号を出力する撮影手段、被写体画像を示す画像信号を記憶する記憶手段、及び画像の表示が可能な表示手段を備えた撮影装置の表示方法であって、
前記撮影手段から出力された画像信号または前記記憶手段に記憶された画像信号に基づいて、被写体画像の輪郭画像を示す画像信号を生成する輪郭画像生成ステップと、
前記表示手段の表示面の一部を通常表示領域として該通常表示領域に前記撮影手段から出力された画像信号または前記記憶手段に記憶された画像信号に基づいて被写体画像の一部または縮小画像を表示すると共に、該表示手段の表示面の前記通常表示領域以外の領域に前記輪郭画像生成ステップで生成された画像信号に基づいて前記被写体の輪郭画像を表示する表示制御ステップと、
を含む表示方法。
【発明の詳細な説明】
【技術分野】
【０００１】
本発明は、被写体を撮影し、被写体画像を示す画像信号を出力する撮影手段、及び画像の表示が可能な表示手段を備えた撮影装置及び該撮影装置における表示方法に関する。
【背景技術】
【０００２】
デジタルカメラの高感度化により、暗所での撮影機会が増加している。
【０００３】
そこで、明るい場所および暗い場所でのフレーミングを容易にするために、デジタルカメラの表示部に被写体像の輪郭画像を表示する機能を設けたデジタルカメラが知られている（例えば、特許文献１参照。）。
【先行技術文献】
【特許文献】
【０００４】
【特許文献１】特開２００４−１７９７０８号公報
【発明の概要】
【発明が解決しようとする課題】
【０００５】
しかしながら、デジタルカメラのモニタ部分は輝度を有するため、特に雰囲気のある暗所（テーマパーク内のアトラクションなど）でモニタ部分が明るく発光すると周囲に迷惑がかかる。従って、そうした暗所でのモニタ表示がはばかられ、結局モニタをファインダとして使用せずに撮影することとなってしまい、不便である。更に、ファインダを備えていない機種の場合には、デジタルカメラを使用することそのものがはばかられ、撮影機会を失ってしまう。
【０００６】
上記特許文献１に記載のデジタルカメラでは、輪郭画像のみが表示されるため、暗所でもモニタ表示を行うことができるが、被写体の雰囲気や明るさ、色味などを把握することができず、撮影時の使い勝手が著しく低下する。また、上記特許文献１に記載の技術は、明るい場所および暗い場所でのフレーミングを容易にする点に重点がおかれており、ユーザがモニタを使用して被写体画像の様子を把握しながら暗所でも周囲に気兼ねなく撮影できるような工夫は何らなされていない。
【０００７】
本発明は、上記問題を解決すべく成されたもので、雰囲気のある暗所でも周囲に気兼ねなく表示手段に画像を表示でき、被写体画像の様子が把握しやすい撮影装置及び表示方法を提供することを目的とする。
【課題を解決するための手段】
【０００８】
上記目的を達成するために、第１の発明の撮影装置は、被写体を撮影し、被写体画像を示す画像信号を出力する撮影手段と、被写体画像を示す画像信号を記憶する記憶手段と、画像の表示が可能な表示手段と、前記撮影手段から出力された画像信号に基づいて被写体画像の輪郭画像を示す画像信号を生成する輪郭画像生成手段と、前記表示手段の表示面の一部を通常表示領域として該通常表示領域に前記撮影手段から出力された画像信号または前記記憶手段に記憶された画像信号に基づいて被写体画像の一部または縮小画像を表示すると共に、該表示手段の表示面の前記通常表示領域以外の領域に前記輪郭画像生成手段で生成された画像信号に基づいて前記被写体の輪郭画像を表示する表示制御手段と、を含んで構成されている。
【０００９】
このように、表示手段の表示面の通常表示領域に撮影手段から出力された画像信号に基づいて被写体画像の一部または縮小画像を表示すると共に、該表示手段の表示面の前記通常表示領域以外の領域に被写体の輪郭画像を表示するようにしたため、雰囲気のある暗所でも周囲に気兼ねなく表示手段に画像を表示でき、被写体画像の雰囲気や色味、印象も把握しやすくなる。
【００１０】
なお、記憶手段は、撮影装置に固定的に設けられた記憶手段であってもよいし、撮影装置に対して着脱可能な記憶手段であってもよい。
【００１１】
なお、第１の発明において、前記通常表示領域に被写体画像の一部または縮小画像を表示させる指示を入力するための指示入力手段を更に備え、前記表示制御手段は、前記指示入力手段で前記指示が入力されないときには、前記表示手段の表示面の全面に前記輪郭画像を表示し、前記指示入力手段で前記指示が入力されたときには、前記通常表示領域に前記撮影手段から出力された画像信号または前記記憶手段に記憶された画像信号に基づいて被写体画像の一部または縮小画像を表示すると共に、前記通常表示領域以外の領域に前記輪郭画像を表示することができる。
【００１２】
このように、指示入力があったときに被写体画像の一部または縮小画像を表示するようにしたため、好適なタイミングで被写体画像の雰囲気や印象、色味を確認できる。
【００１３】
第１の発明において、前記表示制御手段は、前記通常表示領域の大きさを周辺環境の明るさに応じて決定することができる。また、前記通常表示領域を、前記表示手段の表示面の中心付近の領域または主要被写体の画像が表示される領域以外の領域に設けることができる。また、前記通常表示領域の大きさ及び位置の少なくとも一方を変更する変更手段を更に設けることができる。さらにまた、前記通常表示領域は、主要被写体の輪郭より内側の領域または前記被写体のフォーカスポイントを含む領域とすることができる。
【００１４】
また、第１の発明において、前記撮影手段から出力された画像信号のうち、前記通常表示領域、前記通常表示領域内の一部の領域、及び前記通常表示領域の近傍領域の少なくとも１つの領域の画像信号に重点をおいて、自動焦点調整、自動露出調整、及び自動ホワイトバランス調整の少なくとも１つを行う調整手段を更に設けることができる。
【００１５】
自動焦点調整をする上で、重点をおく領域を通常表示領域とすることで、通常表示領域を確認しながら自動焦点調整でき、フォーカス状態の確認を適切かつ迅速に行うことが可能となる。また、自動露出調整、自動ホワイトバランス調整でも同様に、通常表示領域の画像信号に重点をおいて制御することにより、通常表示を確認しながら自動露出調整、自動ホワイトバランス調整でき、露出、ホワイトバランスを容易に確認できる。
【００１６】
また、第２の発明の撮影装置は、被写体を撮影し、被写体画像を示す画像信号を出力する撮影手段と、被写体画像を示す画像信号を記憶する記憶手段と、画像の表示が可能な表示手段と、前記撮影手段から出力された画像信号または前記記憶手段に記憶された画像信号に基づいて、被写体画像の輪郭画像を示す画像信号を生成する輪郭画像生成手段と、少なくとも前記輪郭画像生成手段で生成された画像信号に基づいて前記被写体画像の輪郭画像を前記表示手段の表示面に表示する第１表示制御手段と、前記表示手段の表示面に前記被写体画像以外の絵、図形、及び文字のいずれかを示す画像を表示する場合に、該画像全体の平均明度が所定明度より低くなるような色で表示する第２表示制御手段と、を含んで構成されている。
【００１７】
このように、表示手段に絵や文字、図形などのように被写体画像以外の画像を表示する場合も、その画像の色を平均明度が低くなるように制御することで、雰囲気のある暗所でも周囲に気兼ねなく表示手段に画像を表示できる。
【００１８】
なお、第１表示制御手段は、輪郭画像のみを表示するようにしてもよいし、輪郭画像及び輝度を低下させた被写体画像を重ね合わせた重畳画像を表示するようにしてもよいし、表示手段の表示面の一部の領域には通常の被写体画像を表示し、それ以外の領域に輪郭画像または重畳画像を表示するようにしてもよい。
【００１９】
また、第３の発明の撮影装置は、被写体を撮影し、被写体画像を示す画像信号を出力する撮影手段と、被写体画像を示す画像信号を記憶する記憶手段と、画像の表示が可能な表示手段と、前記撮影手段から出力された画像信号または前記記憶手段に記憶された画像信号に基づいて、被写体画像の輪郭画像を示す画像信号を生成する輪郭画像生成手段と、撮影装置から発する光及び音を抑制するモードに切替える切替手段と、前記切替手段で前記モードに切替えられたときに、少なくとも前記輪郭画像生成手段で生成された画像信号に基づいて前記被写体画像の輪郭画像を前記表示手段の表示面に表示する表示制御手段と、前記切替手段で前記モードに切替えられたときに、撮影装置から発する音を抑制する音抑制制御手段と、を含んで構成されている。
【００２０】
このようにモードが切替えられたときに光及び音の双方を抑制するようにしたため、雰囲気のある暗所でも周囲に迷惑をかけずに撮影装置を操作することができる。
【００２１】
なお、表示制御手段は、輪郭画像のみを表示するようにしてもよいし、輪郭画像及び輝度を低下させた被写体画像を重ね合わせた重畳画像を表示するようにしてもよいし、表示手段の表示面の一部の領域には通常の被写体画像を表示し、それ以外の領域に輪郭画像または重畳画像を表示するようにしてもよい。
【００２２】
また、第４の発明の撮影装置は、被写体画像を示す画像信号を出力する撮影手段と、被写体画像を示す画像信号を記憶する記憶手段と、画像の表示が可能な表示手段と、前記記憶手段から前記被写体画像の輪郭部分の画像信号を間引いて読み出すか、または輝度情報を示す信号のみを抽出して読み出すか、前記被写体画像の輪郭部分の輝度情報を示す信号のみを抽出すると共に該抽出した輝度情報を示す信号を間引いて読み出し、該読み出した画像信号に基づいて前記被写体画像の輪郭画像を示す画像信号を生成する輪郭画像生成手段と、少なくとも前記輪郭画像生成手段で生成された画像信号に基づいて前記被写体画像の輪郭画像を前記表示手段の表示面に表示する表示制御手段と、を含んで構成されている。
【００２３】
これにより、雰囲気のある暗所でも周囲に気兼ねなく表示手段に画像を表示できると共に、画像信号の読み出しを高速化できる。
【００２４】
なお、表示制御手段は、輪郭画像のみを表示するようにしてもよいし、輪郭画像及び輝度を低下させた被写体画像を重ね合わせた重畳画像を表示するようにしてもよいし、表示手段の表示面の一部の領域には通常の被写体画像を表示し、それ以外の領域に輪郭画像または重畳画像を表示するようにしてもよい。
【００２５】
第５の発明の撮影装置は、被写体を撮影する撮像手段を備えた本体と、画像の表示が可能な表示手段と、光透過領域と光透過抑制領域とを備えると共に前記本体に引き出し可能に収納され、前記本体から引き出された状態で前記表示手段の表示面を覆い、かつ前記本体に収納された状態で前記表示手段の表示面を露出させる減光部材と、を含んで構成されている。
【００２６】
このような構成によっても、表示手段の表示面の一部の領域は通常の被写体画像を視認でき、それ以外の領域は減光されるため、全体として表示手段の明るさを抑えることができ、雰囲気のある暗所でも周囲に気兼ねなく表示手段に画像を表示できると共に、被写体画像の雰囲気や色味、印象も把握しやすくなる。
【００２７】
第６の発明の表示方法は、被写体を撮影し、被写体画像を示す画像信号を出力する撮影手段、被写体画像を示す画像信号を記憶する記憶手段、及び画像の表示が可能な表示手段を備えた撮影装置の表示方法であって、前記撮影手段から出力された画像信号または前記記憶手段に記憶された画像信号に基づいて、被写体画像の輪郭画像を示す画像信号を生成する輪郭画像生成ステップと、前記表示手段の表示面の一部を通常表示領域として該通常表示領域に前記撮影手段から出力された画像信号または前記記憶手段に記憶された画像信号に基づいて被写体画像の一部または縮小画像を表示すると共に、該表示手段の表示面の前記通常表示領域以外の領域に前記輪郭画像生成ステップで生成された画像信号に基づいて前記被写体の輪郭画像を表示する表示制御ステップと、を含んで構成されている。
【００２８】
第６の発明の表示方法も、第１の発明の撮影装置と同様に作用するため、雰囲気のある暗所でも周囲に気兼ねなく表示手段に画像を表示でき、被写体画像の雰囲気や色味、印象も把握しやすくなる。
【発明の効果】
【００２９】
以上説明したように本発明によれば、雰囲気のある暗所でも周囲に気兼ねなく表示手段に画像を表示でき、被写体画像の雰囲気も把握できる、という効果を奏する。
【図面の簡単な説明】
【００３０】
【図１】第１の実施の形態に係る撮影装置を背面方向から見た外観図である。
【図２】第１の実施の形態に係る撮影装置の電気系の構成を示すブロック図である。
【図３】撮影装置のマイコンで実行される暗所モード移行処理の流れを示すフローチャートである。
【図４】輝度を低下させない通常の被写体画像の一例を示す図である。
【図５】被写体の輪郭画像の一例を示す図である。
【図６】輪郭画像と輝度を低下させた被写体画像とを明部優先で重ね合わせた重畳画像の一例を示す図である。
【図７】ＬＣＤの表示面の一部の領域に被写体画像の一部を通常表示すると共に、それ以外の領域には輪郭画像を表示した場合の表示状態を示す図である。
【図８】ＬＣＤの表示面の全体に輪郭画像を表示し、ＬＣＤの左下の領域に、輝度を低下させない被写体画像全体を縮小した縮小画像を表示した場合の表示状態を示す図である。
【図９】通常表示領域を移動する移動処理ルーチンの流れを示すフローチャートである。
【図１０】図７に示す通常表示領域を中央付近から向かって右側に移動させた状態を示した図である。
【図１１】通常表示領域の大きさを変更する変更処理ルーチンの流れを示すフローチャートである。
【図１２】図７に示す通常表示領域の大きさを縮小した状態を示した図である。
【図１３】通常表示領域を基準としてＡＦ制御やＡＥ制御、ＡＷＢ制御を行う場合の処理ルーチンの流れを示したフローチャートである。
【図１４】所定の指示入力（ここではレリーズボタンの半押し）があったときに、一部の領域に被写体画像を通常表示する場合の処理ルーチンの流れを示すフローチャートである。
【図１５】光量抑制前のメニュー表示状態を示した図であり、図１６は、光量抑制後のメニュー表示状態を示した図である。
【図１６】メニュー画像のうち、文字の色は明るく、背景部分の色は暗くなるように表示された状態を示した図である。
【図１７】ＬＣＤに表示された暗所モードの設定画面の一例である。
【図１８】暗所モード時のＬＣＤの表示設定画面の一例である。
【図１９】輪郭部分については間引いて読み出す読み出し処理ルーチンの流れを示すフローチャートである。
【図２０】輪郭部分については輝度情報のみ読み出す読み出し処理ルーチンの流れを示すフローチャートである。
【図２１】（Ａ）は、第２の実施の形態の撮影装置において、シートが撮影装置本体に収納された状態を示す図であり、（Ｂ）は、シートが撮影装置本体から引き出された状態を示す図である。
【発明を実施するための形態】
【００３１】
以下、図面を参照して本発明の実施の形態を詳細に説明する。
【００３２】
（第１の実施の形態）
図１は、本実施の形態に係る撮影装置１０を背面方向から見た外観図である。
【００３３】
この撮影装置１０の上面には、撮影を実行する際に押圧操作されるレリーズボタン（所謂シャッター）３２と、電源スイッチ３４ａとが備えられている。本実施の形態に係る撮影装置１０のレリーズボタン３２は、中間位置まで押下される状態（以下、半押し状態またはＳ１という。）、及び当該中間位置を超えた最終押下位置まで押下される状態（以下、全押し状態またはＳ２という。）の２段階の押圧操作が検出可能に構成されている。レリーズボタン３２を半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると撮影が行われる。
【００３４】
また、撮影装置１０の背面には、撮影された被写体像やメニュー画面等を表示するためのＬＣＤ４６と、撮影する被写体の構図を決定するために用いられる光学ファインダ６２とが備えられている。
【００３５】
さらにまた、撮影装置１０には、雰囲気のある暗所で、周囲に迷惑がかからないように撮影装置１０から発する光や音をオフまたは抑制するための暗所モード（以下、雰囲気のある暗所モードと呼称する場合もある）に一発操作で移行するための暗所モードボタン３４ｂ、撮影を行うモードである撮影モード及び被写体像をＬＣＤ４６に再生するモードである再生モードの何れかのモードに設定する際にスライド操作されるモード切替スイッチ３４ｃと、テレ／ワイド切替スイッチ３４ｄとが備えられている。
【００３６】
さらに、撮影装置１０には、十字カーソルボタン３４ｅが備えられている。十字カーソルボタン３４ｅは、ＬＣＤ４６の表示領域における上・下・左・右の４方向の移動方向を示す４つの矢印キー及び当該４つの矢印キーの中央部に位置された決定キーの合計５つのキーを含んで構成されている。
【００３７】
図２は、本実施の形態に係る撮影装置１０の電気系の構成を示すブロック図である。
【００３８】
同図に示すように、撮影装置１０は、レンズ１２と、レンズ１２の光軸後方に配設されたＣＣＤ（Charge Coupled Device）１４と、相関二重サンプリング回路（以下、「ＣＤＳ」という。）１６と、入力されたアナログ画像信号をデジタル画像信号に変換するアナログ／デジタル変換器（以下、「ＡＤＣ」という。）１８と、撮影装置１０全体の動作を司るマイクロ・コンピュータ（以下、「マイコン」という。）２０と、所定容量のラインバッファを内蔵すると共に入力されたデジタル画像信号に対して所定のデジタル信号処理を施す一方、撮影によって得られたデジタル画像信号により示される被写体像や各種メニュー画面、メッセージ等を表示するための液晶ディスプレイ（以下、「ＬＣＤ」という。）４６に対する表示動作を司るＤＳＰ（Digital Signal Processor）で構成された信号処理回路２２と、主として撮影により得られたデジタル画像信号を記憶するＳＤＲＡＭ（Synchronous Dynamic Random Access Memory）により構成されたメモリ２６と、ＣＣＤ１４を駆動させるための駆動信号を生成するＣＣＤ駆動部２８と、ＣＤＳ１６、信号処理回路２２、ＣＣＤ駆動部２８等の各部に対し必要とされるタイミング信号を供給するタイミング信号発生部３０と、を含んで構成されている。
【００３９】
ここで、ＣＤＳ１６による相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素信号を得る処理である。
【００４０】
ＣＣＤ１４の出力端子はＣＤＳ１６の入力端子に、ＣＤＳ１６の出力端子はＡＤＣ１８の入力端子に、ＡＤＣ１８の出力端子は信号処理回路２２の入力端子に、各々接続されている。また、信号処理回路２２はマイコン２０及びデータバスＢＵＳの各々と接続されており、メモリ２６もデータバスＢＵＳと接続されている。更に、マイコン２０はタイミング信号発生部３０の入力端子に、タイミング信号発生部３０の出力端子はＣＤＳ１６、信号処理回路２２、ＣＣＤ駆動部２８等の入力端子に、ＣＣＤ駆動部２８の出力端子はＣＣＤ１４の入力端子に、各々接続されている。
【００４１】
そして、信号処理回路２２によるデジタル信号処理の一部はマイコン２０による制御に応じて実行され、タイミング信号発生部３０による各種タイミング信号の発生も、マイコン２０による制御に応じて実行される。
【００４２】
マイコン２０は、ＣＣＤ１４から出力される画像信号に基づいて、焦点評価演算やＡＥ演算などの各種演算を行い、その演算に基づいて、レンズ１２及び絞り（不図示）の駆動手段（例えば、ＡＦモータやアイリスモータ等）を制御し、フォーカスレンズを合焦位置に移動させるとともに、絞りを適正絞り値に設定する。
【００４３】
例えば、ＡＦ制御には、Ｇ信号の高周波成分が最大になるようにフォーカスレンズを移動させるコントラストＡＦ方式が採用される。ＡＥ制御には、１フレームのＲ、Ｇ、Ｂ信号を積算した積算値に基づいて被写体の明るさ（被写体輝度）を示す測光値ＢＶ（Brightness Value）を求め、ＩＳＯ感度を加算してＥＶ（Exposure Value、露出値）を求める。そして、この露出値ＥＶに基づいて絞り値とシャッタースピードを決定し、駆動手段を介して絞りを駆動するとともに、決定したシャッタースピードとなるように電子シャッターによってＣＣＤ１４の電荷の蓄積時間を制御する。したがって、撮影装置１０のレンズ１２を被写体に向けるだけで、最適な露出調整が行われるとともに、ピント合わせが自動的に行われる。
【００４４】
撮影記録時においては、レリーズボタン３２の半押し（Ｓ１）時に上述した測光動作を複数回繰り返して正確な露出値ＥＶを求め、この露出値ＥＶに基づいて撮影時の絞り値とシャッタースピードを最終的に決定する。そして、レリーズボタン３２の全押し（Ｓ２）時に前記最終的に決定した絞り値になるように絞りを駆動し、また、決定したシャッタースピードとなるように電子シャッターによって電荷の蓄積時間を制御する。なお、ＡＥ、ＡＦはＣＣＤ１４から取得される画像信号に基づいて測光して制御する方法の他、周知の測光センサを用いて測光したりＡＦ投光／受光センサからなる測距センサ等を用いて測距して制御してもよい。
【００４５】
なお、マイコン２０では、ＣＣＤ１４から出力される画像信号に基づいて、ＡＦ制御やＡＥ制御の他、被写体輝度と、Ｒ／Ｇ、Ｂ／Ｇといった色情報を用いて光源種を判別し、光源の色温度に関わらずに、白い被写体が白く色再現されるようにホワイトバランスを調整するためのデジタルゲインを求めるＡＷＢ（Auto White Balance）調整も行われる。
【００４６】
また、撮影装置１０には、データバスＢＵＳに接続された外部インタフェース（以下、「外部Ｉ／Ｆ」という。）２４が内蔵されており、外部Ｉ／Ｆ２４は、撮影装置１０にスマート・メディア、ＩＣカード、ＣＤ−Ｒ、ＣＤ−ＲＷ等の可搬型の記録メディア５２が装着された状態において、当該記録メディア５２に対するアクセスを司ると共に、その他のデジタル情報の外部との間の入出力を司る。
【００４７】
また、マイコンは、レリーズボタン３２、及び操作部３４（電源オンオフする電源スイッチ３４ａ、暗所モードボタン３４ｂ、モード切替スイッチ３４ｃ、テレ／ワイド切替スイッチ３４ｄ、及び十字カーソルボタン３４ｅを含む）が接続されている。マイコン２０は、これらのボタン類に対する操作状態を常時把握することができる。
【００４８】
また、信号処理回路２２は、ＬＣＤ駆動回路４４を介して前述のＬＣＤ４６と接続されている。マイコン２０は、ＬＣＤ駆動回路４４に制御信号を出力すると共に、信号処理回路２２を介してＬＣＤ駆動回路４４に例えば輝度信号及び色差信号からなるＹＵＶ信号（あるいはＹＣｒＣｂ信号）を出力することによって、ＬＣＤ４６に画像を表示させる。
【００４９】
ＬＣＤ駆動回路４４は、マイコン２０から入力した制御信号に応じ、信号処理回路２２から入力した画像信号に基づいて、被写体像やメニュー画面等の画像をＬＣＤ４６に表示させるための信号を生成してＬＣＤ４６に供給する。
【００５０】
ＬＣＤ４６は、視認性やコントラストなどに優れた透過タイプであり、それ自体では発光しない受光型の素子により構成されている。そのため、ＬＣＤ４６は、その裏面に、光源としてバックライト５０が配置されている。ＬＣＤ４６に表示された画像は、バックライト５０がＬＣＤ４６を照明することにより可視化される。このバックライト５０には、電流制限回路４８が接続されている。電流制限回路４８は、マイコン２０に接続され、マイコン２０の制御によりバックライト５０に流す電流を制限する。
【００５１】
ＣＣＤ１８から出力される画像信号に基づいて生成される映像信号（ＹＵＶ信号）がＬＣＤ駆動回路４４に供給されることにより、ＣＣＤ１８が捉える画像がリアルタイムに動画像（ライブ画像、スルー画像）として、またはリアルタイムではないが、ほぼ連続した画像としてＬＣＤ４６に表示される。
【００５２】
ＬＣＤ４６は電子ビューファインダーとして利用でき、撮影者はＬＣＤ４６の表示画像又は光学ファインダ６２によって撮影画角を確認することができる。なお、通常の撮影モード或いは再生モードでは、被写体画像が通常の輝度で表示されるが（通常表示）、暗所モードでは、被写体輝度を抑えた被写体画像と被写体の輪郭画像とが重ね合わされた重畳画像が、周囲にＬＣＤ４６からの光が抑制されるように表示される。なお、暗所モードでは、バックライト５０の輝度も抑えられる。
【００５３】
次に、この撮影装置１０に備えられた暗所モードについて詳細に説明する。
【００５４】
図３は、電源スイッチ３４ａがオン状態とされているときに撮影装置１０のマイコン２０で実行される暗所モード移行処理の流れを示すフローチャートである。
【００５５】
ステップ１００では、雰囲気のある暗所モードに設定されたか否かを判断する。これは暗所モードボタン３４ｂが押下されたか否かによって判断する。暗所モードボタン３４ｂが押下されたと判断した場合には、ステップ１０２で、光、音を発する機構をオフまたは抑制する「雰囲気のある暗所モード」に移行する。
【００５６】
具体的には、まず、信号処理回路２２で、撮影によって得られた被写体画像（図４参照）を示す画像信号をメモリ２６から読み出し、これに基づいて、被写体画像の輪郭画像（図５）を示す画像信号を生成する。輪郭画像を示す画像信号は、元の被写体画像の画像信号から、被写体画像のエッジを検出し、更に検出結果としてのエッジ画像を輪郭部分は白色、それ以外は黒色となるように２値化して生成する。
【００５７】
更に信号処理回路２２は、撮影によって得られた被写体画像を示す画像信号に基づいて、元の被写体画像よりも輝度を低下させた被写体画像（不図示）の画像信号を生成する。どの程度輝度を低下させるかは、予め好適な値を設定しておく。
【００５８】
そして、信号処理回路２２は、この輪郭画像を示す画像信号と輝度を低下させた被写体画像の画像信号を明部優先で合成した合成信号を生成し、この合成信号から映像信号を生成してＬＣＤ駆動回路４４に出力する。これにより、ＬＣＤ４６には、図６に示されるように、輪郭画像と輝度を低下させた被写体画像とを明部優先で重ね合わせた重畳画像が表示される。
【００５９】
このように表示することで、ＬＣＤ４６の光量を抑えながら被写体画像の概要を確認することができる。そして、これにより光量を抑えながら適切にフレーミングを行うことが可能となる。また、撮影時以外、例えば光量を抑制しながら被写体画像を再生したい場合にも暗所モードで再生させれば同様の効果がある。なお、この場合には、記録メディア５２に記憶された被写体画像の画像信号に基づいて輪郭画像や輝度を低下させた被写体画像の画像信号を生成して合成し、表示する。
【００６０】
なお、このとき、バックライト５０の輝度は通常のままでも上記のように表示すればＬＣＤ４６から発する光を減少させる効果があるが、マイコン２０の制御により電流制限回路４８に、バックライト５０に流す電流を制限して、被写体画像の印象が判別できる程度にバックライト５０の輝度を低下させるようにしてもよい。これにより、ＬＣＤ４６から発する光量を効果的に抑え、雰囲気のある暗所でも周囲にはばかることなくモニタ表示を行うことができる。
【００６１】
更に、マイコン２０は、暗所モード状態にあるときには、ＬＣＤ４６の表示を変更するだけでなく、レリーズボタン３２やモード切替スイッチ３４ｃ、テレ／ワイド切替スイッチ３４ｄ、十字カーソルボタン３４ｅ等を操作するときに発生させる予め定められた操作音を強制的に発生させないように制御する。このように光及び音の双方を抑制するようにしたため、雰囲気のある暗所でも周囲に迷惑をかけずに撮影装置１０を操作することができる。
【００６２】
なお、ここでは、暗所モード状態にあるときに、輪郭画像と輝度を低下させた被写体画像とを明部優先で重ね合わせた重畳画像を表示するようにしたが、図７に示すように、ＬＣＤ４６の表示面の一部の領域（以下、通常表示領域）には輝度を低下させない通常通りの被写体画像の一部を表示して、残りの領域に輪郭画像を表示するようにしてもよい。
【００６３】
具体的には、前述したように、撮影によって得られた被写体画像を示す画像信号に基づいて被写体画像の輪郭画像を示す画像信号を生成し、該輪郭画像の画像信号と、撮影によって得られた被写体画像を示す元々の画像信号の中のＬＣＤ４６の表示面の通常表示領域（ここでは中央の領域）に相当する部分の画像信号とを、該通常表示領域に相当する部分の画像信号を優先させて合成する。そして、この合成信号から映像信号を生成してＬＣＤ駆動回路４４に出力する。これにより、図７に示されるように、ＬＣＤ４６の表示面の一部の領域には被写体画像の一部を通常表示すると共に、それ以外の領域には輪郭画像を表示することができる。
【００６４】
なお、ここでは通常表示領域以外の領域に輪郭画像を表示するようにしたが、この輪郭画像に代えて、輪郭画像と輝度を低下させた被写体画像とを明部優先で重ね合わせた重畳画像を表示するようにしてもよい。
【００６５】
このように、一部の領域のみを通常表示とすることで、光量を抑えながら画像を表示でき、かつその一部の領域に表示された被写体画像により、被写体画像の雰囲気や色味、雰囲気などが確認できるようになる。そして、これにより光量を抑えながら適切にフレーミングを行うことが可能となる。また、撮影時以外、例えば光量を抑制しながら被写体画像を再生したい場合にも暗所モードで再生させれば同様の効果がある。なお、この場合には、記録メディア５２に記憶された被写体画像の画像信号に基づいて輪郭画像を生成して合成し、表示する。なお、輪郭画像に代えて重畳画像を表示する場合には、記録メディア５２に記憶された被写体画像の画像信号に基づいて輝度を低下させた被写体画像の画像信号を生成して合成する。
【００６６】
なお、通常表示領域は１つとは限らず、複数あってもよい。また、通常表示領域の大きさは、予め設定しておいてもよいが、撮影装置１０の周辺環境の明るさに応じて決定し、変更してもよい。例えば、周辺環境の明るさが暗いほど通常表示領域の大きさを小さくするようにすることができる。これにより、ＬＣＤ４６から発する光量を雰囲気のある暗所でも周囲に迷惑をかけない程度に好適に抑えることができる。なお、周辺環境の明るさを測定するには、周辺環境の明るさを測光する測光手段を別途撮影装置１０に設けてもよいが、前述したようにＣＣＤ１８から出力される画像信号によって求められる被写体輝度（ＢＶ値）を周辺環境の明るさとして用いてもよい。
【００６７】
また、上記では、通常表示領域には輝度を低下させない被写体画像の一部を表示して、残りの領域に輪郭画像または輪郭画像と輝度を低下させた被写体画像とを重ね合わせた重畳画像を表示する例について説明したが、本発明はこれに限定されない。例えば、図８に示すように、ＬＣＤ４６の表示面の全体に輪郭画像または重畳画像を表示し、ＬＣＤ４６の左下の領域などに、輝度を低下させない被写体画像全体を縮小した縮小画像を表示することもできる。
【００６８】
具体的には、前述したように、撮影によって得られた被写体画像を示す画像信号に基づいて被写体画像の輪郭画像を示す画像信号を生成すると共に、撮影によって得られた被写体画像を示す元々の画像信号を縮小処理して、縮小画像の画像信号を生成する。そして、該輪郭画像の画像信号に縮小画像の画像信号を（縮小画像の画像信号優先で）重ね合わせて合成し、該合成信号から映像信号を生成してＬＣＤ駆動回路４４に出力する。これにより、図８に示されるように、ＬＣＤ４６の表示面の一部の領域には被写体画像の縮小画像を通常表示すると共に、それ以外の領域には輪郭画像を表示することができる。
【００６９】
このように、全体に輪郭画像を表示し、左下等に被写体画像の縮小画像を通常表示するようにしたため、輪郭画像から大まかな構図を確認でき、縮小画像から画像全体の印象や色味を確認でき、有益である。
【００７０】
なお、縮小画像の位置は、図８のようにＬＣＤ４６の表示面の左下に限定されない。主要被写体の輪郭画像が表示される領域以外の領域とすれば好ましいが、縮小画像によって主要被写体の輪郭画像が一部隠れてしまうような位置に表示してもかまわない。
【００７１】
また、上記では通常表示領域の位置が固定である場合を例に挙げて説明したが、これに限定されず、例えば、ユーザが通常表示領域の位置を移動できるように構成してもよい。
【００７２】
図９は、通常表示領域を移動する移動処理ルーチンの流れを示すフローチャートである。ステップ２００では、スルー画像として、ＬＣＤ４６の表示面の一部の領域（通常表示領域）に被写体画像の一部を表示し、残りの領域に輪郭画像を表示する。ステップ２０２では、通常表示領域を移動させるための移動ボタンが操作されたか否かを判断する。移動ボタンは、十字カーソルボタン３４ｅとすることができる。ここでは、十字カーソルボタン３４ｅの上・下・左・右の４方向の移動方向を示す４つの矢印キーのいずれかが押下されたか否かを判断する。
【００７３】
ステップ２０２で、移動ボタン（十字カーソルボタン３４ｅの矢印キー）が押下されなかったと判断した場合には、ステップ２００に戻り、通常表示領域の位置は移動せずにそのままの表示状態を維持する。
【００７４】
ステップ２０２で、移動ボタン（十字カーソルボタン３４ｅの矢印キー）が押下されたと判断した場合には、ステップ２０４に移行し、押下された十字カーソルボタン３４ｅの矢印キーが示す移動方向に、押下時間に比例した移動距離だけ通常表示領域を移動させる。
【００７５】
図１０は、図７に示す通常表示領域を中央付近から向かって右側に移動させた状態を示した図である。同図に示すように、通常表示領域には、撮影によって得られた被写体画像を示す元々の画像信号のうち移動後の通常表示領域に相当する部分の画像信号に基づいた被写体画像を表示する。このように、通常表示領域に表示される被写体画像が移動位置に合わせて変更されるため、輪郭画像のうち所望の一部分を被写体画像として確認できる。
【００７６】
通常表示領域の移動後は、ステップ２００に戻る。
【００７７】
このように、通常表示領域を移動させることによって、フレーミングの幅がより広がり、ユーザの使い勝手が大幅に向上する。
【００７８】
また、上記では通常表示領域の大きさが固定である場合を例に挙げて説明したが、これに限定されず、例えば、ユーザが通常表示領域の大きさを自由に変更できるように構成してもよい。
【００７９】
図１１は、通常表示領域の大きさを変更する変更処理ルーチンの流れを示すフローチャートである。ステップ３００では、スルー画像として、ＬＣＤ４６の表示面の一部の領域（通常表示領域）に被写体画像の一部を表示し、残りの領域に輪郭画像を表示する。ステップ３０２では、通常表示領域の大きさを変更するための変更ボタンが操作されたか否かを判断する。変更ボタンは、十字カーソルボタン３４ｅの４つの矢印キーの中央部に位置された決定キーとすることができる。ここでは、十字カーソルボタン３４ｅの決定キーが押下されたか否かを判断する。
【００８０】
ステップ３０２で、変更ボタン（十字カーソルボタン３４ｅの決定キー）が押下されなかったと判断した場合には、ステップ３００に戻り、通常表示領域の大きさは変更せずにそのままの表示状態を維持する。
【００８１】
ステップ３０２で、変更ボタン（十字カーソルボタン３４ｅの決定キー）が押下されたと判断した場合には、ステップ３０４に移行する。
【００８２】
ステップ３０４では、決定キーの押下の後、十字カーソルボタン３４ｅの上方向の矢印キーが押下された場合には、押下時間に比例した大きさに拡大し、十字カーソルボタン３４ｅの下方向の矢印キーが押下された場合には、押下時間に比例した大きさに縮小する。
【００８３】
通常表示領域のサイズの変更後は、ステップ３００に戻る。
【００８４】
図１２は、図７に示す通常表示領域の大きさを縮小した状態を示した図である。同図に示すように、通常表示領域には、撮影によって得られた被写体画像を示す元々の画像信号のうち縮小後の通常表示領域に相当する部分の画像信号が示す被写体画像を表示する。
【００８５】
このように、通常表示領域の大きさを変更することによって、フレーミングの幅がより広がり、ユーザの使い勝手が大幅に向上する。
【００８６】
なお、通常表示領域の位置を移動したり大きさを変更する場合に、十字カーソルボタン３４ｅを操作する例について説明したが、本発明はボタン操作に限定されず、例えば、ＬＣＤ４６をタッチパネルディスプレイで構成した場合には、タッチパネルディスプレイに対してタッチ操作することにより、通常表示領域を移動させたり、大きさを変更させたりするように構成することができる。
【００８７】
また、通常表示領域を、主要被写体の輪郭より内側の領域としてもよい。また、通常表示領域を、被写体のフォーカスポイントを含む領域としてもよい。これにより撮影時にフレーミングの基準とすべき主要被写体の雰囲気や色味などを把握することができる。
【００８８】
また、撮影によってＣＣＤ１８から出力された被写体画像を示す画像信号のうち、通常表示領域部分の画像信号に重点をおいて、ＡＦ制御、ＡＥ制御、ＡＷＢ制御の少なくとも１つを行うようにしてもよい。
【００８９】
図１３は、通常表示領域を基準としてＡＦ制御やＡＥ制御、ＡＷＢ制御を行う場合の処理ルーチンの流れを示したフローチャートである。
【００９０】
ステップ４００では、スルー画像として、ＬＣＤ４６の表示面の一部の領域（通常表示領域）に被写体画像の一部を表示し、残りの領域に輪郭画像（または重畳画像）を表示する。ステップ４０２では、レリーズボタン３２が半押しされたか否かを判断する。
【００９１】
ステップ４０２で、レリーズボタン３２が半押しされなかったと判断したときには、ステップ４００に戻る。また、ステップ４０２でレリーズボタン３２が半押しされたと判断したときには、ステップ４０４に移行し、通常表示領域を基準としてＡＦ制御やＡＥ制御、ＡＷＢ制御を行う。
【００９２】
ステップ４０６では、ステップ４０８でレリーズボタン３２が全押しされたと判断するまでステップ４００と同様の表示を継続する。
【００９３】
ステップ４０８で、レリーズボタン３２が全押しされたと判断したときには、ステップ４１０で撮影を行う。すなわち、ＣＣＤ１８から出力された被写体画像の画像信号に信号処理回路２２で圧縮などの所定の画像処理を施した後に、外部Ｉ／Ｆ２４を介して記録メディア５２に記録する。
【００９４】
なお、一般的な撮影装置では、ＡＦ制御やＡＥ制御、ＡＷＢ制御を行う際の基準とする範囲はモード等に応じて予め定められている。例えば、ＡＦ制御などでは、一般的に測光エリアを小分割したときの中央付近或いは予め定められた範囲に重点をおいて測光し制御する。この基準とする範囲、重点をおく範囲を上述したように通常表示領域とすることで、通常表示領域を確認しながらオートフォーカスでき、フォーカス状態の確認を適切かつ迅速に行うことが可能となる。また、ＡＥ制御、ＡＷＢ制御でも同様に、通常表示領域の画像信号に重点をおいて制御することにより、通常表示を確認しながらＡＥ／ＡＷＢ制御でき、露出、ホワイトバランスを容易に確認できる。
【００９５】
また、前述したように、通常表示領域の位置や大きさを変更した場合でも、該変更した位置及び大きさの通常表示領域を重点としてＡＦ制御やＡＥ制御、ＡＷＢ制御を行うようにしてもよい。これにより、任意の位置及び表示範囲でＡＦ／ＡＥ／ＡＷＢ制御を行うことが可能となり、利便性が向上する。
【００９６】
なお、上記では、暗所モード状態にあるときは、常に通常表示領域に被写体画像の一部（または縮小画像）を通常表示して、残りの領域に輪郭画像または輪郭画像と輝度を低下させた被写体画像を重ね合わせた重畳画像を表示する例について説明したが、これに限定されず、例えば、暗所モードの初期状態では、輪郭画像または重畳画像のみを表示し、所定の指示入力があったときに、一部の領域に被写体画像を通常表示するようにしてもよい。
【００９７】
図１４は、所定の指示入力（ここではレリーズボタン３２の半押し）があったときに、一部の領域に被写体画像を通常表示する場合の処理ルーチンの流れを示すフローチャートである。
【００９８】
ステップ５００では、スルー画像として、ＬＣＤ４６の表示面全体に輪郭画像（または重畳画像）を表示する。ステップ５０２では、レリーズボタン３２が半押しされたか否かを判断する。
【００９９】
ステップ５０２で、レリーズボタン３２が半押しされなかったと判断したときには、ステップ５００に戻り、前述の表示を継続する。また、ステップ５０２でレリーズボタン３２が半押しされたと判断したときには、ステップ５０４に移行し、一般的な処理手順でＡＦ制御やＡＥ制御、ＡＷＢ制御を行う。
【０１００】
ステップ５０６では、レリーズボタン３２の半押しを契機として、ＬＣＤ４６の表示面の一部に被写体画像の一部を通常表示する。
【０１０１】
ステップ５０８では、レリーズボタン３２が全押しされたか否かを判断する。ここでレリーズボタン３２が全押しされたと判断したときには、ステップ５１０で撮影を行う。すなわち、ＣＣＤ１８から出力された被写体画像の画像信号に信号処理回路２２で圧縮などの所定の画像処理を施した後に、外部Ｉ／Ｆ２４を介して記録メディア５２に記録する。
【０１０２】
このように、ボタン操作等によって、任意のタイミングで被写体画像の一部を通常表示することができる。
【０１０３】
特に、半押し（Ｓ１）時に、被写体画像の一部を通常表示することで、Ｓ１より前には極力光量を抑えてフレーミングを行い、Ｓ１後は光量を抑えながらフォーカスや明るさ、ホワイトバランスなどを確認する、といったことが可能となり、有益である。
【０１０４】
なお、ここでは被写体画像の一部を通常表示するようにしたが、被写体画像の縮小画像を通常表示するようにしてもよい。また、ここでは、レリーズボタン３２の操作によって表示を切替える例について説明したが、本発明は、ボタン操作に限定されず、例えば、タッチパネルのタッチ操作によって、タッチ操作で指定された位置及びその周辺を通常表示するようにしてもよい。
【０１０５】
また、暗所モードにおいて、ＬＣＤ４６で設定条件を入力したりするメニュー画像のように文字や図形、絵などを表示する際にも光量を抑えられるように、メニュー画像の背景となる画像（被写体画像）を、輪郭画像あるいは重畳画像で表示するとともに、その上に重ねて表示するメニュー画像の文字や図形などの色を、全体として暗くなるように（所定明度以下となるように）変更して表示するようにしてもよい。これにより、雰囲気のある暗所でのメニュー操作も光量を抑えて行うことができる。
【０１０６】
図１５は、光量抑制前のメニュー表示状態を示した図であり、図１６は、光量抑制後のメニュー表示状態を示した図である。図１６では、メニュー画像のうち、文字の色は明るく、背景部分の色は暗くなるように表示されている。これにより、図１５のメニュー表示に比べて、メニュー画像全体の平均明度が所定明度より低くなり、暗くなる。従って、周囲に迷惑をかけずに、メニュー操作を行うことができるようになる。
【０１０７】
なお、雰囲気のある暗所モードの詳細な機能を設定できるように構成することもできる。図１７は、十字カーソルボタン３４ｅ等の操作により、ＬＣＤ４６に表示された暗所モードの設定画面の一例である。同図に示すように、左側のメニュー項目から、暗所モードの機能を設定する「暗所設定」を選択すると、右側に「ＯＦＦ」、「光量抑制」、「音声ＯＦＦ」、「光量抑制、音声ＯＦＦ」の４つの選択項目が表示される。
【０１０８】
「ＯＦＦ」を選択すると、暗所モード時でも、光量抑制や音声ＯＦＦは行わない設定となる。「光量抑制」を選択すると、音声はＯＦＦしないが、ＬＣＤ４６の光量だけは抑制する設定となる。具体的には、上記実施の形態で説明したようにＬＣＤ４６の表示面の一部は通常表示し、残りは輪郭画像を表示するか、輪郭画像と輝度を低下させた被写体画像の重畳画像を表示することにより、光量を抑制する。「音声ＯＦＦ」を選択すると、光量抑制は行わないが、音声だけはＯＦＦする設定となる。「光量抑制、音声ＯＦＦ」を選択すると、光量抑制を行うと共に音声もＯＦＦする設定となる。
【０１０９】
このように選択項目を選択して設定することによって、暗所モードでは、ユーザの所望の状態で撮影装置１０を操作できるようになる。
【０１１０】
また、暗所モード時のＬＣＤ４６の表示方法を予め任意に設定できるようにしてもよい。図１８は、暗所モード時のＬＣＤ４６の表示設定画面の一例である。同図に示すように、左側のメニュー項目から、暗所モードの表示方法を設定する「モニタ」を選択すると、右側に「通常」、「輪郭」、「輪郭＋暗画像」、「輪郭＋一部通常」、「輪郭＋ＡＦ時のみ一部通常」の５つの選択項目が表示される。
【０１１１】
「通常」を選択すると、暗所モード時でも、ＬＣＤ４６の表示面全体に通常通りのスルー画像（輝度を低下させない被写体画像）を表示する。「輪郭」を選択すると、被写体画像の輪郭部分は白色、それ以外は黒色となるような輪郭画像を表示する。「輪郭＋暗画像」を選択すると、輪郭画像と輝度を低下させた被写体画像の重畳画像を表示する。「輪郭＋一部通常」を選択すると、一部の領域（通常表示領域）に輝度を低下させない通常通りの被写体画像の一部、または縮小画像を表示して、残りの領域に輪郭画像を表示する。「輪郭＋ＡＦ時のみ一部通常」を選択すると、初期状態では輪郭画像を全面に表示し、半押し（Ｓ１）したとき、すなわちＡＦ制御を行うときに、表示面の一部に被写体画像の一部または縮小画像を通常表示する。
【０１１２】
このように、表示方法を予め設定しておくことにより、ユーザの所望の方法で表示させることができるようになる。
【０１１３】
なお、輪郭画像の表示を含む表示方法が設定されている場合には、輪郭画像を生成するときに、輪郭部分の画像信号は、画像の概要をつかむためだけに用いられ、解像度、色情報は不要となる。従って、輪郭部分の画像信号は間引いて読み出しても、或いは輝度情報のみを読み出して、ＬＣＤ４６に表示するための画像信号を生成しても、見た目にはあまり影響しない。
【０１１４】
そこで、再生モードで記録メディア５２から被写体画像の画像信号を読み出すとき、および撮影モードでメモリ２６から被写体画像の画像信号を読み出すときに、間引いて読み出すか輝度信号のみを読み出すことによって、読み出しを高速化する。
【０１１５】
図１９は、輪郭部分については間引いて読み出す読み出し処理ルーチンの流れを示すフローチャートである。ステップ６００では、現在設定されている表示モードをチェックする。ステップ６０２で、現在設定されている表示モードが、輪郭画像の表示を含む表示モードであると判断した場合には、ステップ６０４で、再生モードであれば記録メディア５２から、撮影モードであればメモリ２６から、輪郭部分の画像信号を間引き読み出しする。ステップ６０６では、輪郭部分以外の部分の画像信号をそのまま読み出す。
【０１１６】
これにより、信号処理回路２２は、輪郭部分については、間引き読み出しした画像信号に基づいて画像信号を生成し、それ以外の部分については、通常の読み出しにより読み出された画像信号に基づいて輝度を低下させた画像あるいは黒色の画像の画像信号を生成する。
【０１１７】
一方、ステップ６０２で、現在設定されている表示モードが、輪郭画像の表示を含む表示モードではないと判断した場合には、ステップ６０８で、画像信号全体を間引かずに通常通りに読み出す。
【０１１８】
図２０は、輪郭部分については輝度情報のみ読み出す読み出し処理ルーチンの流れを示すフローチャートである。ステップ７００では、現在設定されている表示モードをチェックする。ステップ７０２で、現在設定されている表示モードが、輪郭画像の表示を含む表示モードであると判断した場合には、ステップ７０４に移行する。
【０１１９】
ステップ７０４では、撮影装置１０が再生モード状態であれば記録メディア５２から、撮影モード状態であればメモリ２６から、輪郭部分の画像信号から輝度情報のみを読み出す。ステップ７０６では、輪郭部分以外の部分の画像信号をそのまま読み出す。
【０１２０】
これにより、輪郭部分については、輝度情報のみに基づいて画像信号を生成し、それ以外の部分については、通常の読み出しにより読み出された画像信号に基づいて輝度を低下させた画像あるいは黒色の画像の画像信号を生成する。
【０１２１】
一方、ステップ７０２で、現在設定されている表示モードが、輪郭画像の表示を含む表示モードではないと判断した場合には、ステップ７０８で、画像信号全体を通常通りに読み出す。
【０１２２】
このように読み出すことによって、読み出しを高速化できる。なお、上記図１９及び図２０で示した例では、輪郭部分以外の部分の画像信号はそのまま読み出すようにしたが、これも間引いて読み出してもよい。また、輪郭部分について、輝度情報のみを間引いて読み出すようにしてもよい。これによりさらに読み出しが高速化する。
【０１２３】
（第２の実施の形態）
第１の実施の形態では、光を抑制するような画像信号を生成してＬＣＤ４６に表示するようにしたが、ＬＣＤ４６に光を抑制するためのシートで覆うようにしてもよい。
【０１２４】
図２１（Ａ）、（Ｂ）は、本実施の形態に係る撮影装置１０ａを背面方向から見た外観図である。図２１（Ａ）、（Ｂ）において、図１と同一の構成については、同一符号を付して説明を省略する。
【０１２５】
図２１（Ａ）に示すように、撮影装置１０ａには、撮影装置１０ａ本体に引き出し可能に収納され、光をそのまま透過する光透過領域７２、透過する光を減少させる光透過抑制領域７４、及び取っ手部７６を備えたシート７０が設けられている。ユーザーは取っ手部７６に指をかけて（或いはつまんで）、シート７０を撮影装置１０本体から引き出したり、撮影装置１０本体に収納することができる。
【０１２６】
シート７０は、図２１（Ｂ）に示すように、撮影装置１０ａ本体から引き出された状態でＬＣＤ４６の表示面を覆い、図２１（Ａ）に示すように、撮影装置１０本体に収納された状態でＬＣＤ４６の表示面を露出させる。
【０１２７】
シート７０が撮影装置１０ａ本体から引き出された状態にあるときには、ほぼＬＣＤ４６の中央部に形成されている光透過領域７２を、ＬＣＤ４６から発する光がそのままの状態で透過してユーザの目に到達する。また、光透過抑制領域７４では、ＬＣＤ４６からの透過光が減少する。このため、ＬＣＤ４６ｂの中央部に表示された被写体画像のみが通常表示された状態となり、それ以外の部分に表示された被写体画像は輝度が低下した状態とで視認される。
【０１２８】
これにより、ＬＣＤ４６から発せされる光を抑制することができるため、雰囲気のある暗所であっても、周囲にはばかることなくＬＣＤ４６に画像を表示することができると共に被写体画像の雰囲気や色味なども容易に確認することができる。
【０１２９】
なお、シート７０の光透過領域７２の面積、位置は図２１，２２に図示した例に限定されず、適宜変更可能である。また、光透過抑制領域７４の光の透過率も、ＬＣＤ４６やバックライト５０の性能や機能などに応じて適宜設計し、該設計したシート７０を撮影装置１０に組み込むことができる。
【０１３０】
なお、上記全ての実施の形態では、表示手段として、バックライトを使用する液晶ディスプレイを例に挙げて説明したが、バックライトを使用しない表示手段、例えば有機ＥＬディスプレイであっても、本発明を適用できる。
【符号の説明】
【０１３１】
１０、１０ａ  撮影装置
１２  レンズ
１４  ＣＣＤ
２０  マイコン
２２  信号処理回路
２６  メモリ
３４ｂ  暗所モードボタン
３４ｅ  十字カーソルボタン
４４  ＬＣＤ駆動回路
４６  ＬＣＤ
５２  記録メディア
７０  シート
７２  光透過領域
７４  光透過抑制領域
【図１】
2011004431.tif 000003
【図２】
2011004431.tif 000004
【図３】
2011004431.tif 000005
【図４】
2011004431.tif 000006
【図５】
2011004431.tif 000007
【図６】
2011004431.tif 000008
【図７】
2011004431.tif 000009
【図８】
2011004431.tif 000010
【図９】
2011004431.tif 000011
【図１０】
2011004431.tif 000012
【図１１】
2011004431.tif 000013
【図１２】
2011004431.tif 000014
【図１３】
2011004431.tif 000015
【図１４】
2011004431.tif 000016
【図１５】
2011004431.tif 000017
【図１６】
2011004431.tif 000018
【図１７】
2011004431.tif 000019
【図１８】
2011004431.tif 000020
【図１９】
2011004431.tif 000021
【図２０】
2011004431.tif 000022
【図２１】
2011004431.tif 000023